【手続補正書】
【提出日】平成25年7月1日(2013.7.1)
【手続補正１】
【補正対象書類名】明細書
【補正対象項目名】０００７
【補正方法】変更
【補正の内容】
【０００７】
上記課題を解決するために、請求項１に記載の画像形成装置は、印刷ジョブに従って記録材にトナー像を形成する像形成手段と、前記像形成手段により前記記録材に形成された前記トナー像を前記記録材に熱定着する定着手段と、前記定着手段の定着温度を制御する制御手段とを有する画像形成装置であって、前記印刷ジョブにおける注目ページに対応する第１の記録材情報に基づいて、前記注目ページに対応する記録材にトナー像を定着するために定着温度を変更すべきか否かを判定する判定手段を有し、前記制御手段は、前記第１の記録材情報と、前記印刷ジョブに含まれる複数のページに対応する記録材情報から求まる第２の記録材情報とに基づいて、前記定着手段により前記注目ページに対応する記録材にトナー像を定着するために前記定着温度を変更することを特徴とする。
また、上記課題を解決するために、他の請求項に記載の画像形成装置は、印刷ジョブに従って記録材にトナー像を形成する像形成手段と、前記像形成手段により前記記録材に形成された前記トナー像を前記記録材に熱定着する定着手段と、前記定着手段の定着温度を制御する制御手段とを有する画像形成装置であって、前記印刷ジョブにおける注目ページに対応する第１の記録材情報に基づいて、前記注目ページに対応する記録材にトナー像を定着するために定着温度を増加させるべきか、減少させるべきか、或いは維持すべきかを判定する判定手段を有し、前記制御手段は、前記判定手段により前記定着温度を増加させるべきと判定された場合、又は、前記判定手段により前記定着温度を減少させるべきと判定された場合、前記印刷ジョブに含まれる複数のページに対応する記録材情報から求まる第２の記録材情報に基づいて、前記定着手段により前記注目ページに対応する記録材にトナー像を定着するために前記定着温度を変更することを特徴とする。
【手続補正２】
【補正対象書類名】特許請求の範囲
【補正対象項目名】全文
【補正方法】変更
【補正の内容】
【特許請求の範囲】
【請求項１】
印刷ジョブに従って記録材にトナー像を形成する像形成手段と、
前記像形成手段により前記記録材に形成された前記トナー像を前記記録材に熱定着する定着手段と、
前記定着手段の定着温度を制御する制御手段とを有する画像形成装置であって、
前記印刷ジョブにおける注目ページに対応する第１の記録材情報に基づいて、前記注目ページに対応する記録材にトナー像を定着するために定着温度を変更すべきか否かを判定する判定手段を有し、
前記制御手段は、前記第１の記録材情報と、前記印刷ジョブに含まれる複数のページに対応する記録材情報から求まる第２の記録材情報とに基づいて、前記定着手段により前記注目ページに対応する記録材にトナー像を定着するために前記定着温度を変更することを特徴とする画像形成装置。
【請求項２】
前記第１の記録材情報には、前記注目ページに対応する記録材の坪量の情報が含まれ、
前記第２の記録材情報には、前記印刷ジョブに含まれる複数のページに対応する記録材の坪量の内の最大坪量の情報が含まれ、
前記制御手段は、前記注目ページに対応する記録材の坪量が所定の坪量よりも大きければ、前記最大坪量に基づいて、前記定着手段により前記注目ページに対応する記録材にトナー像を定着するために前記定着温度を変更することを特徴とする請求項１に記載の画像形成装置。
【請求項３】
前記第１の記録材情報には、前記注目ページに対応する記録材の坪量の情報が含まれ、
前記第２の記録材情報には、前記印刷ジョブに含まれる複数のページに対応する記録材の坪量の内の最小坪量の情報が含まれ、
前記制御手段は、前記注目ページに対応する記録材の坪量が所定の坪量以下ならば、前記最小坪量に基づいて、前記定着手段により前記注目ページに対応する記録材にトナー像を定着するために前記定着温度を変更することを特徴とする請求項１に記載の画像形成装置。
【請求項４】
前記第１の記録材情報には、前記注目ページに対応する記録材の種類の情報が含まれ、
前記制御手段は、前記注目ページに対応する記録材の種類が所定の種類である場合、前記第２の記録材情報に基づいて、前記定着手段により前記注目ページに対応する記録材にトナー像を定着するために前記定着温度を変更し、
前記制御手段は、前記注目ページに対応する記録材の種類が前記所定の種類でない場合、前記第１の記録材情報に基づいて、前記定着手段により前記注目ページに対応する記録材にトナー像を定着するために前記定着温度を変更することを特徴とする請求項１に記載の画像形成装置。
【請求項５】
前記第２の記録材情報には、前記印刷ジョブに含まれる複数のページに対応する記録材の坪量の内の最大坪量の情報が含まれ、
前記制御手段は、前記注目ページに対応する記録材の種類が所定の種類である場合、前記注目ページに対応する記録材の坪量が所定の坪量よりも大きければ、前記最大坪量に基づいて、前記定着手段により前記注目ページに対応する記録材にトナー像を定着するために前記定着温度を変更することを特徴とする請求項４に記載の画像形成装置。
【請求項６】
前記第２の記録材情報には、前記印刷ジョブに含まれる複数のページに対応する記録材の坪量の内の最小坪量の情報が含まれ、
前記制御手段は、前記注目ページに対応する記録材の種類が所定の種類である場合、前記注目ページに対応する記録材の坪量が所定の坪量以下ならば、前記最小坪量に基づいて、前記定着手段により前記注目ページに対応する記録材にトナー像を定着するために前記定着温度を変更することを特徴とする請求項４に記載の画像形成装置。
【請求項７】
前記制御手段は、前記判定手段により定着温度を変更すべきと判定された場合、前記第１の記録材情報と、前記第２の記録材情報とに基づいて、前記定着手段により前記注目ページに対応する記録材にトナー像を定着するために前記定着温度を変更することを特徴とする請求項１乃至６のいずれか一項に記載の画像形成装置。
【請求項８】
前記判定手段は、前記定着温度と前記定着温度を用いて定着可能な紙種毎の坪量の範囲とを対応付けたデータが記憶された記憶部を備え、
前記判定手段は、前記第１の記録材情報と前記記憶部に記憶された前記データとに基づいて、前記注目ページに対応する記録材にトナー像を定着するために定着温度を変更すべきか否かを判定することを特徴とする請求項１乃至７のいずれか一項に記載の画像形成装置。
【請求項９】
印刷ジョブに従って記録材にトナー像を形成する像形成手段と、
前記像形成手段により前記記録材に形成された前記トナー像を前記記録材に熱定着する定着手段と、
前記定着手段の定着温度を制御する制御手段とを有する画像形成装置であって、
前記印刷ジョブにおける注目ページに対応する第１の記録材情報に基づいて、前記注目ページに対応する記録材にトナー像を定着するために定着温度を増加させるべきか、減少させるべきか、或いは維持すべきかを判定する判定手段を有し、
前記制御手段は、前記判定手段により前記定着温度を増加させるべきと判定された場合、又は、前記判定手段により前記定着温度を減少させるべきと判定された場合、前記印刷ジョブに含まれる複数のページに対応する記録材情報から求まる第２の記録材情報に基づいて、前記定着手段により前記注目ページに対応する記録材にトナー像を定着するために前記定着温度を変更することを特徴とする画像形成装置。
【請求項１０】
前記第２の記録材情報には、前記印刷ジョブに含まれる複数のページに対応する記録材の坪量の内の最大坪量の情報が含まれ、
前記制御手段は、前記判定手段により前記定着温度を増加させるべきと判定された場合、前記最大坪量に基づいて、前記定着手段により前記注目ページに対応する記録材にトナー像を定着するために前記定着温度を変更することを特徴とする請求項９に記載の画像形成装置。
【請求項１１】
前記第２の記録材情報には、前記印刷ジョブに含まれる複数のページに対応する記録材の坪量の内の最小坪量の情報が含まれ、
前記制御手段は、前記判定手段により前記定着温度を減少させるべきと判定された場合、前記最小坪量に基づいて、前記定着手段により前記注目ページに対応する記録材にトナー像を定着するために前記定着温度を変更することを特徴とする請求項９に記載の画像形成装置。
【請求項１２】
前記判定手段は、前記定着温度と前記定着温度を用いて定着可能な紙種毎の坪量の範囲とを対応付けたデータが記憶された記憶部を備え、
前記判定手段は、前記第１の記録材情報と前記記憶部に記憶された前記データとに基づいて、前記注目ページに対応する記録材にトナー像を定着するために定着温度を変更すべきか否かを判定することを特徴とする請求項９乃至１１のいずれか一項に記載の画像形成装置。
【請求項１３】
前記定着手段は、第１の定着部、記録材が搬送される方向において前記第１の定着部よりも下流の第２の定着部、記録材を前記第１の定着部のみへ搬送させる第１の搬送路、記録材を前記第１の定着部へ搬送させた後に前記第２の定着部にも搬送させる第２の搬送路、前記第１の記録材情報に基づいて前記第１の搬送路と前記第２の搬送路とを切り替える切替部を有することを特徴とする請求項１乃至１２のいずれか一項に記載の画像形成装置。